【手続補正書】
【提出日】平成30年2月21日(2018.2.21)
【手続補正１】
【補正対象書類名】特許請求の範囲
【補正対象項目名】全文
【補正方法】変更
【補正の内容】
【特許請求の範囲】
【請求項１】
２つ以上のエンティティ間で共用車両のフリートを共用するための方法であって、
第１のエンティティが所有する車両レンタルサービス用の車両によって構成される第１のフリートを提供するステップと、
第２のエンティティが所有する車両共用サービス用の車両によって構成される第２のフリートを提供するステップと、
前記第１のフリートの一部の車両と前記第２のフリートの一部の車両とを共用車両として指定するステップであって、前記第１のフリートの共用車両は車両共用サービス用でもあり、且つ前記第２のフリートの共用車両は車両レンタルサービス用でもあり、さらに車両共用サービス用の車両のそれぞれは制御端末及び無線アクセス手段を具備するものである、ステップと、
特定の共用車両を前記第１のフリートから前記第２のフリートに移動させるステップと、
前記特定の共用車両に関連する制御端末から、アクセス識別子を含む、物理的に前記特定の共用車両にアクセスする要求をコンピューティングデバイスのプロセッサにより受信するステップと、
前記物理的に前記特定の共用車両にアクセスする要求を受信した後、前記アクセス識別子が前記要求を受信した時間が含まれる所定の時間窓の前記特定の共用車両の予約に関連する識別子とマッチすることを前記プロセッサにより判断し、その後、前記特定の共用車両へのアクセスを許可する信号をネットワークを介して前記プロセッサにより前記制御端末に送信するステップと、
前記アクセス識別子が有効であると判断した後、前記特定の共用車両に関連するフリートデータを前記プロセッサにより更新して、前記フリートデータを前記第１のフリートから前記第２のフリートに変更するステップと、を含む方法。
【請求項２】
前記制御端末から、前記特定の共用車両を前記第１のフリートに返却する要求を前記プロセッサにより受信するステップと、
前記特定の共用車両に関連するフリートデータを前記プロセッサにより更新して、前記フリートデータを前記第２のフリートから前記第１のフリートに変更するステップと、をさらに含む請求項１に記載の方法。
【請求項３】
前記物理的に前記特定の共用車両にアクセスする要求は、前記特定の共用車両をロック解除する要求である、請求項１に記載の方法。
【請求項４】
前記物理的に前記特定の共用車両にアクセスする要求は、前記特定の共用車両のドアをロック解除する要求である、請求項３に記載の方法。
【請求項５】
前記特定の共用車両の前記制御端末は、前記特定の共用車両に関連するロックと相互作用して、物理的に前記特定の共用車両にアクセスすることを許可するように構成されている、請求項１に記載の方法。
【請求項６】
前記共用車両は共用自動車である、請求項１に記載の方法。
【請求項７】
前記アクセス識別子が有効であると判断した後、前記特定の共用車両に関連するロケーションデータを前記プロセッサにより更新して、前記特定の共用車両に関連するロケーションデータを前記第１のフリート内の第１のロケーションから前記第２のフリート内の第２のロケーションに変更するステップをさらに含む、請求項１に記載の方法。
【請求項８】
前記特定の共用車両についての前記ロケーションデータの累積は、ダウンタイム及び利用度を追跡するのに使用される、請求項７に記載の方法。
【請求項９】
前記特定の共用車両に関連する前記ロケーションデータに対する変更を前記プロセッサにより追跡するステップを含む、請求項７に記載の方法。
【請求項１０】
前記特定の共用車両に関連する前記フリートデータに対する変更を前記プロセッサにより追跡するステップをさらに含む、請求項１に記載の方法。
【請求項１１】
利用度、ダウンタイム、駐車費用、保険費用、保守費用及び減価償却費のうちの少なくとも１つを、前記特定の共用車両が前記第１のフリート及び前記第２のフリートのそれぞれに割り当てられた時間の長さに少なくとも部分的に基づいて前記プロセッサにより計算するステップをさらに含む、請求項１に記載の方法。
【請求項１２】
２つ以上のエンティティ間で共用資産のフリートを共用するための方法であって、
第１のエンティティが所有する車両レンタルサービス用の車両によって構成される第１のフリートを提供するステップと、
第２のエンティティが所有する車両共用サービス用の車両によって構成される第２のフリートを提供するステップと、
前記第１のフリートの一部の車両と前記第２のフリートの一部の車両とを共用車両として指定するステップであって、前記第１のフリートの共用車両は車両共用サービス用でもあり、且つ前記第２のフリートの共用車両は車両レンタルサービス用でもあり、さらに車両共用サービス用の車両のそれぞれは制御端末及び無線アクセス手段を具備するものである、ステップと、
データベースに格納され、複数の共用車両のそれぞれに関連するフリートデータを前記第１のフリートから前記第２のフリートに変更し、これにより前記複数の共用車両のそれぞれを前記第２のフリートに割り当てることによって、前記第１のフリート及び前記第２のフリート間で前記複数の共用車両を移動させる要求を、コンピューティングデバイスのプロセッサにより受信するステップと、
前記複数の共用車両に関連するフリートデータを前記プロセッサにより更新して、前記フリートデータを前記第１のフリートから前記第２のフリートに変更するステップと、
利用度、ダウンタイム、駐車費用、保険費用、保守費用及び減価償却費のうちの少なくとも１つを、前記複数の共用車両のそれぞれが前記第１のフリート及び前記第２のフリートのそれぞれに割り当てられた時間の長さに少なくとも部分的に基づいて前記プロセッサにより計算するステップと、を含む方法。
【請求項１３】
前記複数の共用車両を前記第１のフリート内の第１のロケーションから前記第２のフリート内の第２のロケーションに派遣する要求を前記プロセッサにより受信するステップと、
前記複数の共用車両のそれぞれに関連するロケーションデータを前記プロセッサにより更新して、前記ロケーションデータを前記第１のフリート内の前記第１のロケーションから前記第２のフリート内の前記第２のロケーションに変更するステップと、をさらに含む請求項１２に記載の方法。
【請求項１４】
前記ロケーションデータは、ダウンタイム及び利用度を追跡するのに使用される、請求項１３に記載の方法。
【請求項１５】
利用度、ダウンタイム、駐車費用、保険費用、保守費用及び減価償却費のうちの少なくとも１つを、前記複数の共用車両のそれぞれが前記第１のロケーション及び前記第２のロケーションに割り当てられた時間の長さに少なくとも部分的に基づいて前記プロセッサにより計算するステップをさらに含む、請求項１３に記載の方法。
【請求項１６】
前記複数の共用車両のそれぞれは自動車である、請求項１２に記載の方法。
【請求項１７】
前記複数の共用車両のそれぞれの前記フリートデータに対する変更を前記プロセッサにより追跡するステップをさらに含む、請求項１２に記載の方法。
【手続補正２】
【補正対象書類名】明細書
【補正対象項目名】００１０
【補正方法】変更
【補正の内容】
【００１０】
特定の実施形態において、方法は、識別子が有効であると判断した後、共用資産に関連するロケーションデータをプロセッサにより更新して、共用資産に関連するロケーションデータを第１のフリート内の第１のロケーションから第２のフリート内の第２のロケーションに変更することを含む。
【手続補正３】
【補正対象書類名】明細書
【補正対象項目名】００１６
【補正方法】変更
【補正の内容】
【００１６】
特定の実施形態において、方法は、複数の共用資産を第１のフリート内の第１のロケーションから第２のフリート内の第２のロケーションに派遣する要求をプロセッサにより受信することと、複数の共用資産のそれぞれに関連するロケーションデータをプロセッサにより更新して、ロケーションデータを第１のフリート内の第１のロケーション（例えばサービスロケーション）から第２のフリート内の第２のロケーション（例えば収益ロケーション）に変更することと、を含む。
【手続補正４】
【補正対象書類名】明細書
【補正対象項目名】００１７
【補正方法】変更
【補正の内容】
【００１７】
特定の実施形態において、複数の共用資産のそれぞれに関連するロケーションデータを更新して、ロケーションデータを第１のフリート内の第１のロケーションから第２のフリート内の第２のロケーションに変更することは同時に行われる。特定の実施形態において、第１のロケーションはサービスロケーションであり、第２のロケーションは収益ロケーションである。特定の実施形態において、第１のロケーションはサービスロケーション及びステージングロケーションのうちの少なくとも１つであり、第２のロケーションは収益発生ロケーションである。特定の実施形態において、複数の共用資産のそれぞれのロケーションデータは、駐車場、駐車スポット、サービスロケーション、及びステージングロケーションのうちの少なくとも１つを含む。特定の実施形態において、複数の共用資産のそれぞれのロケーションデータは、区、州、市、町、大都市圏、郡、及び国のうちの少なくとも１つを含む。特定の実施形態において、ロケーションデータは、ダウンタイム及び利用度を追跡するのに使用される。